(57)【要約】【課題】  特定のメンバーの行き先情報を、当該情報が必要な適所に効率的に提示する。【解決手段】  ネットワークＮで接続された端末装置Ｔ１１〜Ｔ４３（たとえば、パソコン）が、個々の事業所に設置される。各メンバーが、個々の立ち寄り場所で、所持している情報記録媒体Ｍ１〜Ｍ５（たとえば、社員証となるＩＣカード）をそこに設置されている端末装置に交信させると、「誰（媒体内の識別コード）がどこ（端末装置の設置場所）に立ち寄ったか」を示す経路報告情報が他の端末装置に向けて一斉に送信される。これを受信した他の端末装置では、当該経路報告情報が過去に立ち寄ったメンバーに関するものであった場合に、これを蓄積し提示するが、それ以外のメンバーに関するものであった場合には破棄する。その結果、各端末装置には、過去に立ち寄ったメンバーに関するその後の足取りを示す経路履歴のみが取捨選択されて提示される。【選択図】図１
2008021061.tif 000002
【特許請求の範囲】
【請求項１】
それぞれ異なる場所に設置された複数の端末装置と、
携帯可能な複数の情報記録媒体と、
を備え、前記各端末装置は、互いにネットワークで接続されており、
前記各情報記録媒体には、それぞれ固有の媒体識別コードが記録されており、
前記各端末装置は、
前記情報記録媒体に記録されている媒体識別コードを読み出すコード読出部と、
前記情報記録媒体の経路履歴を格納するための経路履歴格納部と、
前記コード読出部による読み出しが行われたときに、読み出された媒体識別コードを前記経路履歴格納部内に登録するコード登録部と、
自己の設置場所を直接的もしくは間接的に示す場所情報を格納した場所情報格納部と、
前記コード読出部による読み出しが行われたときに、読み出された媒体識別コードと前記場所情報とを含んだ経路報告情報を、前記ネットワークを介して、他の端末装置へ送信する経路報告情報送信部と、
別な端末装置から前記ネットワークを介して、前記経路報告情報が送信されてきたときに、これを受信する経路報告情報受信部と、
「受信した経路報告情報」に含まれている媒体識別コードが、前記経路履歴格納部に登録されているか否かを判定し、登録されていた場合には、当該媒体識別コードに関する格納欄に、前記「受信した経路報告情報」に含まれている場所情報を新たな経路履歴として書き込む経路履歴書込部と、
前記経路履歴格納部に格納されている経路履歴の一部もしくは全部を提示する経路履歴提示部と、
を有することを特徴とする行き先提示システム。
【請求項２】
請求項１に記載の行き先提示システムにおいて、
当該行き先提示システム用の端末装置としての機能とは別の特定機能をもった電子機器を端末装置として用い、
前記特定機能を利用するための認証に用いる媒体を情報記録媒体として用いることを特徴とする行き先提示システム。
【請求項３】
請求項２に記載の行き先提示システムにおいて、
電子機器のいくつかに、コンピュータ、プリンタ、複写機、その他の事務用什器・備品、もしくは電子錠を用いることを特徴とする行き先提示システム。
【請求項４】
請求項１〜３のいずれかに記載の行き先提示システムにおいて、
情報記録媒体として、接触用電極を有し、メモリ内に媒体識別コードが記録された接触型ＩＣカードを用い、
コード読出部として、前記接触用電極を介して前記ＩＣカードと交信するリーダライタ装置を用いることを特徴とする行き先提示システム。
【請求項５】
請求項１〜３のいずれかに記載の行き先提示システムにおいて、
情報記録媒体として、無線交信する機能を有し、メモリ内に媒体識別コードが記録された非接触型ＩＣカードを用い、
コード読出部として、前記ＩＣカードと無線交信するリーダライタ装置を用いることを特徴とする行き先提示システム。
【請求項６】
請求項１〜３のいずれかに記載の行き先提示システムにおいて、
情報記録媒体として、文字もしくはバーコードの印刷により媒体識別コードが記録された媒体、または磁気もしくは光学的な記録方法により媒体識別コードが記録された媒体を用い、
コード読出部として、光学的もしくは磁気的な方法により媒体識別コードを読み取る装置を用いることを特徴とする行き先提示システム。
【請求項７】
請求項１〜６のいずれかに記載の行き先提示システムにおいて、
場所情報格納部が、自己の設置場所の名称を示す場所文字列を場所情報として格納し、
経路報告情報送信部が、前記場所文字列を含んだ経路報告情報を送信し、
経路履歴書込部が、前記場所文字列を経路履歴として書き込み、
経路履歴提示部が、前記場所文字列を提示することを特徴とする行き先提示システム。
【請求項８】
請求項１〜６のいずれかに記載の行き先提示システムにおいて、
場所情報格納部が、自己を示す固有の端末識別コードを場所情報として格納し、
経路報告情報送信部が、前記端末識別コードを場所情報として含んだ経路報告情報を送信し、
端末装置の内部もしくは外部に、個々の端末識別コードを、当該端末識別コードで特定される端末装置の設置場所の名称を示す場所文字列に変換する場所文字列変換部が設けられており、
経路履歴書込部が、端末識別コードを経路履歴として書き込み、
経路履歴提示部が、前記場所文字列変換部による変換結果を利用して、端末装置の設置場所の名称を示す場所文字列の形で、経路履歴を提示することを特徴とする行き先提示システム。
【請求項９】
請求項１〜６のいずれかに記載の行き先提示システムにおいて、
場所情報格納部が、自己を示す固有の端末識別コードを場所情報として格納し、
経路報告情報送信部が、前記端末識別コードを場所情報として含んだ経路報告情報を送信し、
端末装置の内部もしくは外部に、個々の端末識別コードを、当該端末識別コードで特定される端末装置の設置場所の名称を示す場所文字列に変換する場所文字列変換部が設けられており、
経路履歴書込部が、前記場所文字列変換部による変換結果を利用して、端末装置の設置場所の名称を示す場所文字列を経路履歴として書き込み、
経路履歴提示部が、前記場所文字列を提示することを特徴とする行き先提示システム。
【請求項１０】
請求項１〜９のいずれかに記載の行き先提示システムにおいて、
情報記録媒体に、その所持者の氏名を示す氏名文字列を含む媒体識別コードが記録されており、
経路履歴提示部が、前記氏名文字列を見出しとして用い、個々の媒体識別コードごとに、格納されている経路履歴を表示することを特徴とする行き先提示システム。
【請求項１１】
請求項１〜９のいずれかに記載の行き先提示システムにおいて、
端末装置の内部もしくは外部に、個々の媒体識別コードを、当該媒体識別コードで特定される情報記録媒体の所持者の氏名を示す氏名文字列に変換する氏名文字列変換部が設けられており、
経路履歴提示部が、前記氏名文字列変換部による変換結果を利用して、前記氏名文字列を見出しとして用い、個々の媒体識別コードごとに、格納されている経路履歴を表示することを特徴とする行き先提示システム。
【請求項１２】
請求項１〜１１のいずれかに記載の行き先提示システムにおいて、
経路履歴書込部が、所定の媒体識別コードに関する格納欄に、新たな経路履歴を書き込む際に、当該格納欄の末尾に経路履歴を追加書き込みし、同一格納欄に複数の経路履歴が順次蓄積して格納されることを特徴とする行き先提示システム。
【請求項１３】
請求項１２に記載の行き先提示システムにおいて、
経路履歴書込部が、所定の格納欄の末尾に経路履歴を追加書き込みする際に、当該格納欄に蓄積中の経路履歴の数が所定の設定値以下となるように、古い経路履歴を順次削除する処理を行うことを特徴とする行き先提示システム。
【請求項１４】
請求項１２または１３に記載の行き先提示システムにおいて、
経路履歴提示部が、個々の媒体識別コードごとに、該当格納欄に格納されている経路履歴を格納順もしくはその逆順に表示することを特徴とする行き先提示システム。
【請求項１５】
請求項１２または１３に記載の行き先提示システムにおいて、
経路履歴提示部が、個々の媒体識別コードごとに、該当格納欄に格納されている経路履歴の末尾の１つのみを表示するか、もしくは末尾から予め設定された所定番目までを格納順もしくはその逆順に表示することを特徴とする行き先提示システム。
【請求項１６】
請求項１〜１１のいずれかに記載の行き先提示システムにおいて、
経路履歴書込部が、所定の媒体識別コードに関する格納欄に、新たな経路履歴を書き込む際に、当該格納欄に格納されていた古い経路履歴を前記新たな経路履歴によって書き換え、当該格納欄には最新の経路履歴のみが格納されるようにすることを特徴とする行き先提示システム。
【請求項１７】
請求項１〜１６のいずれかに記載の行き先提示システムにおいて、
経路履歴書込部が、経路履歴とともに「当該経路履歴の書込時」もしくは「当該経路履歴の元になった経路報告情報の送信時」を示す情報を書き込む処理を行い、
経路履歴提示部が、経路履歴とともに前記書込時もしくは送信時を示す情報を提示することを特徴とする行き先提示システム。
【請求項１８】
請求項１〜１７のいずれかに記載の行き先提示システムにおいて、
経路履歴提示部が、外部から提示指示が与えられたときに、もしくは、予め設定されている所定の提示条件が満たされたときに、経路履歴の提示を行うことを特徴とする行き先提示システム。
【請求項１９】
請求項１〜１８のいずれかに記載の行き先提示システムにおいて、
経路履歴提示部が、音声により経路履歴の提示を行うことを特徴とする行き先提示システム。
【請求項２０】
請求項１〜１９のいずれかに記載の行き先提示システムにおいて、
コード登録部が、所定の媒体識別コードを経路履歴格納部内に登録する処理を行う際に、前記所定の媒体識別コードが既に登録済みであった場合には、そのままの登録状態を維持するか、もしくは、当該登録済みの媒体識別コードに関する格納欄の経路履歴をすべて削除する処理を行うことを特徴とする行き先提示システム。
【請求項２１】
請求項１〜２０のいずれかに記載の行き先提示システムにおいて、
端末装置が、外部から削除指示が与えられたときに、もしくは予め設定された所定の削除条件が満たされたときに、経路履歴格納部の格納内容の一部もしくは全部を削除する処理を行う経路履歴削除部を更に有することを特徴とする行き先提示システム。
【請求項２２】
請求項１〜２１のいずれかに記載の行き先提示システムにおいて、
情報記録媒体の経路履歴を格納するための経路履歴格納部と、
行き先提示の対象となる特定の媒体識別コードを前記経路履歴格納部内に登録するコード登録部と、
端末装置からネットワークを介して、経路報告情報が送信されてきたときに、これを受信する経路報告情報受信部と、
「受信した経路報告情報」に含まれている媒体識別コードが、前記経路履歴格納部に登録されているか否かを判定し、登録されていた場合には、当該媒体識別コードに関する格納欄に、前記「受信した経路報告情報」に含まれている場所情報を新たな経路履歴として書き込む経路履歴書込部と、
前記経路履歴格納部に記録されている経路履歴の一部もしくは全部を提示する経路履歴提示部と、
を有する電子掲示板を更に備えることを特徴とする行き先提示システム。
【請求項２３】
請求項１〜２２のいずれかに記載の行き先提示システムにおいて、
情報記録媒体の経路履歴を記録するための経路履歴格納部と、
端末装置からネットワークを介して、経路報告情報が送信されてきたときに、これを受信する経路報告情報受信部と、
前記経路履歴格納部における「受信した経路報告情報」に含まれている媒体識別コードに関する格納欄の末尾に、前記「受信した経路報告情報」に含まれている場所情報を新たな経路履歴として追加書き込みし、同一格納欄に複数の経路履歴が順次蓄積して格納されるようにする経路履歴書込部と、
を有する管理装置を更に備えることを特徴とする行き先提示システム。
【請求項２４】
請求項１〜２３のいずれかに記載の行き先提示システムにおける端末装置として、コンピュータを機能させるためのプログラム。
【請求項２５】
異なる場所に複数の端末装置を設置する段階と、
それぞれ固有の媒体識別コードが記録された携帯可能な情報記録媒体を用意し、行き先提示の対象者に所持させる段階と、
特定の対象者が、特定の端末装置の設置場所に来たときに、前記特定の端末装置が、前記特定の対象者が所持する情報記録媒体に記録された媒体識別コードを読み取り、これを登録する段階と、
前記特定の端末装置が、読み取った媒体識別コードと自己の設置場所を直接的もしくは間接的に示す場所情報とを含んだ経路報告情報を、他の端末装置へ送信する段階と、
別な端末装置から送信されてきた前記経路報告情報を受信した端末装置が、「受信した経路報告情報」に含まれている媒体識別コードが過去に登録されているか否かを判定し、登録されていた場合には、前記「受信した経路報告情報」に含まれている場所情報を当該媒体識別コードに関する経路履歴として蓄積する段階と、
経路履歴を蓄積した端末装置が、蓄積されている経路履歴の一部もしくは全部を提示する段階と、
を有することを特徴とする行き先提示方法。
【発明の詳細な説明】
【技術分野】
【０００１】
本発明は、行き先提示システムに関し、特に、互いにネットワーク接続された電子機器を利用した行き先提示システムに関する。
【背景技術】
【０００２】
社会人としての活動には、通常、様々な場所への移動が伴うため、家族、同僚、友人などに、自己の行き先や居場所を通知することは非常に重要である。特に、会社組織の一員の場合、本店、支店、営業所、工場など、様々な部門へ出張する業務が日常茶飯事であり、上司、同僚、部下などに、自分の行き先や居場所を連絡しておく必要がある。このような連絡方法として、行き先を記したメモを自分の席に置いておく方法や、掲示板に行き先を書き込んでおく方法などが、古くからの常套手段として利用されている。
【０００３】
一方、ネットワークを利用した通信手段が普及した今日では、電子情報の送受により、自己の居場所や行き先に関するメッセージを伝達する方法も提案されている。たとえば、下記の特許文献１には、外部の通信回線を介して入力された情報に基づいて、入力設定者の行き先などを電子掲示板に表示するシステムが開示されている。また、下記の特許文献２には、Ｗｅｂサーバを利用して、パソコン上に各社員の行き先を示す掲示板を表示させるシステムが開示されている。このシステムを利用すれば、パソコンなどの端末装置上に、他のメンバーの行き先や居場所を即座に表示させて確認することが可能である。
【特許文献１】特開平１１−３０５６９５号公報
【特許文献２】特開２００２−４９７２８号公報
【発明の開示】
【発明が解決しようとする課題】
【０００４】
家庭向け、もしくは中小企業向けの行き先提示システムの場合、行き先提示の対象となるメンバーの数は比較的少数であり、また、行き先となる場所も限られていることが多い。ところが大企業や大規模な団体となると、メンバー数も、行き先となる場所も、かなりの数にのぼる。このため、何らかのシステムにより、すべてのメンバーについての行き先情報を収集したとしても、これらすべての情報をすべての者に提示すると実用性は損われてしまう。一般に、ある特定のメンバーの行き先は、ある特定の者のみの関心事であるから、これら特定の者に対して、当該特定のメンバーの行き先情報が効率的に提示されるようなシステムが望まれている。
【０００５】
多数の情報の中から、自分の欲する情報のみを抽出する手法として、通常、検索という手法が利用される。したがって、行き先提示システムにおいても、検索の手法をとれば、特定のメンバーの行き先情報のみを抽出して表示させることが可能である。たとえば、すべてのメンバーについての行き先情報を収集するシステムを用意しておき、「鈴木一郎」という特定のメンバーの行き先を知りたい場合は、当該氏名もしくは社員コードなどを用いた検索により、「鈴木一郎」に関する行き先情報のみを抽出して提示させることが可能である。しかしながら、このような手法を採る限り、検索作業という余分な作業が必要になるため、利便性は低下せざるを得ない。
【０００６】
これに対して、たとえば、個々のメンバーごとに、報告先となる機器を予め定めておき、特定のメンバーの行き先情報を、報告先となる特定の機器の画面上にのみ表示するという方法を採ることも可能である。しかしながら、この方法では、予め定められた特定の報告先に対してのみ行き先表示がなされることになるので、報告先を適宜変更する柔軟な対応をとることが困難である。
【０００７】
そこで本発明は、特定のメンバーの行き先に関する情報を、当該情報を必要とするであろうと予測される適所に効率的に提示することが可能な行き先提示システムを提供することを目的とする。
【課題を解決するための手段】
【０００８】
(1)   本発明の第１の態様は、行き先提示システムを、
それぞれ異なる場所に設置された複数の端末装置と、
携帯可能な複数の情報記録媒体と、
により構成し、各端末装置を、互いにネットワーク接続するようにし、
各情報記録媒体には、それぞれ固有の媒体識別コードを記録しておき、
各端末装置を、
情報記録媒体に記録されている媒体識別コードを読み出すコード読出部と、
情報記録媒体の経路履歴を格納するための経路履歴格納部と、
コード読出部による読み出しが行われたときに、読み出された媒体識別コードを経路履歴格納部内に登録するコード登録部と、
自己の設置場所を直接的もしくは間接的に示す場所情報を格納した場所情報格納部と、
コード読出部による読み出しが行われたときに、読み出された媒体識別コードと場所情報とを含んだ経路報告情報を、ネットワークを介して、他の端末装置へ送信する経路報告情報送信部と、
別な端末装置からネットワークを介して、経路報告情報が送信されてきたときに、これを受信する経路報告情報受信部と、
「受信した経路報告情報」に含まれている媒体識別コードが、経路履歴格納部に登録されているか否かを判定し、登録されていた場合には、当該媒体識別コードに関する格納欄に、「受信した経路報告情報」に含まれている場所情報を新たな経路履歴として書き込む経路履歴書込部と、
経路履歴格納部に格納されている経路履歴の一部もしくは全部を提示する経路履歴提示部と、
によって構成するようにしたものである。
【０００９】
(2)   本発明の第２の態様は、上述した第１の態様に係る行き先提示システムにおいて、
当該行き先提示システム用の端末装置としての機能とは別の特定機能をもった電子機器を端末装置として用い、
この特定機能を利用するための認証に用いる媒体を情報記録媒体として用いるようにしたものである。
【００１０】
(3)   本発明の第３の態様は、上述した第２の態様に係る行き先提示システムにおいて、
電子機器のいくつかに、コンピュータ、プリンタ、複写機、その他の事務用什器・備品、もしくは電子錠を用いるようにしたものである。
【００１１】
(4)   本発明の第４の態様は、上述した第１〜第３の態様に係る行き先提示システムにおいて、
情報記録媒体として、接触用電極を有し、メモリ内に媒体識別コードが記録された接触型ＩＣカードを用い、
コード読出部として、接触用電極を介してＩＣカードと交信するリーダライタ装置を用いるようにしたものである。
【００１２】
(5)   本発明の第５の態様は、上述した第１〜第３の態様に係る行き先提示システムにおいて、
情報記録媒体として、無線交信する機能を有し、メモリ内に媒体識別コードが記録された非接触型ＩＣカードを用い、
コード読出部として、ＩＣカードと無線交信するリーダライタ装置を用いるようにしたものである。
【００１３】
(6)   本発明の第６の態様は、上述した第１〜第３の態様に係る行き先提示システムにおいて、
情報記録媒体として、文字もしくはバーコードの印刷により媒体識別コードが記録された媒体、または磁気もしくは光学的な記録方法により媒体識別コードが記録された媒体を用い、
コード読出部として、光学的もしくは磁気的な方法により媒体識別コードを読み取る装置を用いるようにしたものである。
【００１４】
(7)   本発明の第７の態様は、上述した第１〜第６の態様に係る行き先提示システムにおいて、
場所情報格納部が、自己の設置場所の名称を示す場所文字列を場所情報として格納し、
経路報告情報送信部が、場所文字列を含んだ経路報告情報を送信し、
経路履歴書込部が、場所文字列を経路履歴として書き込み、
経路履歴提示部が、場所文字列を提示するようにしたものである。
【００１５】
(8)   本発明の第８の態様は、上述した第１〜第６の態様に係る行き先提示システムにおいて、
場所情報格納部が、自己を示す固有の端末識別コードを場所情報として格納し、
経路報告情報送信部が、端末識別コードを場所情報として含んだ経路報告情報を送信し、
端末装置の内部もしくは外部に、個々の端末識別コードを、当該端末識別コードで特定される端末装置の設置場所の名称を示す場所文字列に変換する場所文字列変換部が設けられており、
経路履歴書込部が、端末識別コードを経路履歴として書き込み、
経路履歴提示部が、場所文字列変換部による変換結果を利用して、端末装置の設置場所の名称を示す場所文字列の形で、経路履歴を提示するようにしたものである。
【００１６】
(9)   本発明の第９の態様は、上述した第１〜第６の態様に係る行き先提示システムにおいて、
場所情報格納部が、自己を示す固有の端末識別コードを場所情報として格納し、
経路報告情報送信部が、端末識別コードを場所情報として含んだ経路報告情報を送信し、
端末装置の内部もしくは外部に、個々の端末識別コードを、当該端末識別コードで特定される端末装置の設置場所の名称を示す場所文字列に変換する場所文字列変換部が設けられており、
経路履歴書込部が、場所文字列変換部による変換結果を利用して、端末装置の設置場所の名称を示す場所文字列を経路履歴として書き込み、
経路履歴提示部が、場所文字列を提示するようにしたものである。
【００１７】
(10)  本発明の第１０の態様は、上述した第１〜第９の態様に係る行き先提示システムにおいて、
情報記録媒体に、その所持者の氏名を示す氏名文字列を含む媒体識別コードが記録されており、
経路履歴提示部が、氏名文字列を見出しとして用い、個々の媒体識別コードごとに、格納されている経路履歴を表示するようにしたものである。
【００１８】
(11)  本発明の第１１の態様は、上述した第１〜第９の態様に係る行き先提示システムにおいて、
端末装置の内部もしくは外部に、個々の媒体識別コードを、当該媒体識別コードで特定される情報記録媒体の所持者の氏名を示す氏名文字列に変換する氏名文字列変換部が設けられており、
経路履歴提示部が、氏名文字列変換部による変換結果を利用して、氏名文字列を見出しとして用い、個々の媒体識別コードごとに、格納されている経路履歴を表示するようにしたものである。
【００１９】
(12)  本発明の第１２の態様は、上述した第１〜第１１の態様に係る行き先提示システムにおいて、
経路履歴書込部が、所定の媒体識別コードに関する格納欄に、新たな経路履歴を書き込む際に、当該格納欄の末尾に経路履歴を追加書き込みし、同一格納欄に複数の経路履歴が順次蓄積して格納されるようにしたものである。
【００２０】
(13)  本発明の第１３の態様は、上述した第１２の態様に係る行き先提示システムにおいて、
経路履歴書込部が、所定の格納欄の末尾に経路履歴を追加書き込みする際に、当該格納欄に蓄積中の経路履歴の数が所定の設定値以下となるように、古い経路履歴を順次削除する処理を行うようにしたものである。
【００２１】
(14)  本発明の第１４の態様は、上述した第１２または第１３の態様に係る行き先提示システムにおいて、
経路履歴提示部が、個々の媒体識別コードごとに、該当格納欄に格納されている経路履歴を格納順もしくはその逆順に表示するようにしたものである。
【００２２】
(15)  本発明の第１５の態様は、上述した第１２または第１３の態様に係る行き先提示システムにおいて、
経路履歴提示部が、個々の媒体識別コードごとに、該当格納欄に格納されている経路履歴の末尾の１つのみを表示するか、もしくは末尾から予め設定された所定番目までを格納順もしくはその逆順に表示するようにしたものである。
【００２３】
(16)  本発明の第１６の態様は、上述した第１〜第１１の態様に係る行き先提示システムにおいて、
経路履歴書込部が、所定の媒体識別コードに関する格納欄に、新たな経路履歴を書き込む際に、当該格納欄に格納されていた古い経路履歴を新たな経路履歴によって書き換え、当該格納欄には最新の経路履歴のみが格納されるようにしたものである。
【００２４】
(17)  本発明の第１７の態様は、上述した第１〜第１６の態様に係る行き先提示システムにおいて、
経路履歴書込部が、経路履歴とともに「当該経路履歴の書込時」もしくは「当該経路履歴の元になった経路報告情報の送信時」を示す情報を書き込む処理を行い、
経路履歴提示部が、経路履歴とともに書込時もしくは送信時を示す情報を提示するようにしたものである。
【００２５】
(18)  本発明の第１８の態様は、上述した第１〜第１７の態様に係る行き先提示システムにおいて、
経路履歴提示部が、外部から提示指示が与えられたときに、もしくは、予め設定されている所定の提示条件が満たされたときに、経路履歴の提示を行うようにしたものである。
【００２６】
(19)  本発明の第１９の態様は、上述した第１〜第１８の態様に係る行き先提示システムにおいて、
経路履歴提示部が、音声により経路履歴の提示を行うようにしたものである。
【００２７】
(20)  本発明の第２０の態様は、上述した第１〜第１９の態様に係る行き先提示システムにおいて、
コード登録部が、所定の媒体識別コードを経路履歴格納部内に登録する処理を行う際に、所定の媒体識別コードが既に登録済みであった場合には、そのままの登録状態を維持するか、もしくは、当該登録済みの媒体識別コードに関する格納欄の経路履歴をすべて削除する処理を行うようにしたものである。
【００２８】
(21)  本発明の第２１の態様は、上述した第１〜第２０の態様に係る行き先提示システムにおいて、
端末装置が、外部から削除指示が与えられたときに、もしくは予め設定された所定の削除条件が満たされたときに、経路履歴格納部の格納内容の一部もしくは全部を削除する処理を行う経路履歴削除部を更に有するようにしたものである。
【００２９】
(22)  本発明の第２２の態様は、上述した第１〜第２１の態様に係る行き先提示システムにおいて、
情報記録媒体の経路履歴を格納するための経路履歴格納部と、
行き先提示の対象となる特定の媒体識別コードを経路履歴格納部内に登録するコード登録部と、
端末装置からネットワークを介して、経路報告情報が送信されてきたときに、これを受信する経路報告情報受信部と、
「受信した経路報告情報」に含まれている媒体識別コードが、経路履歴格納部に登録されているか否かを判定し、登録されていた場合には、当該媒体識別コードに関する格納欄に、「受信した経路報告情報」に含まれている場所情報を新たな経路履歴として書き込む経路履歴書込部と、
経路履歴格納部に記録されている経路履歴の一部もしくは全部を提示する経路履歴提示部と、
を有する電子掲示板を更に設けたものである。
【００３０】
(23)  本発明の第２３の態様は、上述した第１〜第２２の態様に係る行き先提示システムにおいて、
情報記録媒体の経路履歴を記録するための経路履歴格納部と、
端末装置からネットワークを介して、経路報告情報が送信されてきたときに、これを受信する経路報告情報受信部と、
経路履歴格納部における「受信した経路報告情報」に含まれている媒体識別コードに関する格納欄の末尾に、「受信した経路報告情報」に含まれている場所情報を新たな経路履歴として追加書き込みし、同一格納欄に複数の経路履歴が順次蓄積して格納されるようにする経路履歴書込部と、
を有する管理装置を更に設けたものである。
【００３１】
(24)  本発明の第２４の態様は、上述した第１〜第２３の態様に係る行き先提示システムにおける端末装置を、専用プログラムを組み込んだコンピュータにより実現するようにしたものである。
【００３２】
(25)  本発明の第２５の態様は、
異なる場所に複数の端末装置を設置する段階と、
それぞれ固有の媒体識別コードが記録された携帯可能な情報記録媒体を用意し、行き先提示の対象者に所持させる段階と、
特定の対象者が、特定の端末装置の設置場所に来たときに、特定の端末装置が、特定の対象者が所持する情報記録媒体に記録された媒体識別コードを読み取り、これを登録する段階と、
特定の端末装置が、読み取った媒体識別コードと自己の設置場所を直接的もしくは間接的に示す場所情報とを含んだ経路報告情報を、他の端末装置へ送信する段階と、
別な端末装置から送信されてきた経路報告情報を受信した端末装置が、「受信した経路報告情報」に含まれている媒体識別コードが過去に登録されているか否かを判定し、登録されていた場合には、「受信した経路報告情報」に含まれている場所情報を当該媒体識別コードに関する経路履歴として蓄積する段階と、
経路履歴を蓄積した端末装置が、蓄積されている経路履歴の一部もしくは全部を提示する段階と、
によって行き先の提示を行うようにしたものである。
【発明の効果】
【００３３】
本発明の行き先提示システムによれば、各メンバーが個々の立ち寄り場所で、所持している情報記録媒体をそこに設置された端末装置に交信させる作業を行うようにすると、「誰がどこに立ち寄ったか」を示す経路報告情報が他の端末装置に向けて送信される。一方、別な端末装置から送信されてきた経路報告情報を受け取った各端末装置は、当該経路報告情報が過去に立ち寄ったメンバーに関するものであった場合に、これを蓄積し、必要に応じて提示する処理を行う。このため、各端末装置には、過去に立ち寄ったメンバーに関するその後の足取りを示す経路履歴が取捨選択されて提示されることになるので、特定のメンバーの行き先に関する情報を、当該情報を必要とするであろうと予測される適所（過去に立ち寄った場所）に効率的に提示することが可能になる。
【発明を実施するための最良の形態】
【００３４】
以下、本発明を図示する実施形態に基づいて説明する。
【００３５】
＜＜＜  §１．  基本構成および基本動作原理  ＞＞＞
はじめに、本発明に係る行き先提示システムの基本構成および基本動作原理を説明する。図１は、本発明の一実施形態に係る行き先提示システムの基本構成を示すブロック図である。本発明の必須構成要素は、それぞれ異なる場所に設置され、互いにネットワークで接続された複数の端末装置と、携帯可能な複数の情報記録媒体である。図１では、説明の便宜上、合計１３台の端末装置Ｔ１１〜Ｔ４３と、合計５台の情報記録媒体Ｍ１〜Ｍ５を用いた単純な例を示すが、もちろん、本発明はより多数の端末装置および情報記録媒体を用いて実施することが可能である。
【００３６】
各端末装置Ｔ１１〜Ｔ４３は、図示のとおり、互いにネットワークＮによって接続されている。ここでは、この行き先提示システムが、ある企業の社員からなるメンバーの行き先を提示するために利用されており、当該企業には、東京本社、横浜支社、千葉支社、埼玉工場なる施設が存在するものとする。更に、端末装置Ｔ１１〜Ｔ１４は、それぞれ東京本社の１０１号室〜１０４号室に設置された装置であり、端末装置Ｔ２１〜Ｔ２３は、それぞれ横浜支社の２０１号室〜２０３号室に設置された装置であり、端末装置Ｔ３１〜Ｔ３３は、それぞれ千葉本社の３０１号室〜３０３号室に設置された装置であり、端末装置Ｔ４１〜Ｔ４３は、それぞれ埼玉工場の４０１号室〜４０３号室に設置された装置であるものとする（この例では、各部屋の号数の示す３桁の数値の中央桁の０を削除した２桁の数値が、当該部屋に設置された端末装置のＴ以下の符号に該当する）。
【００３７】
なお、各端末装置Ｔ１１〜Ｔ４３の詳細な内部構成については、§２で述べることにする。また、図示の電子掲示板Ｔ００および管理装置Ｔ９９は、特殊な端末装置というべきものであり、その構成および機能は、§４で述べる。
【００３８】
一方、情報記録媒体Ｍ１〜Ｍ５は、それぞれ特定のメンバーに対して付与される携帯可能な媒体であり、それぞれ固有の媒体識別コードが記録されている。ここでは、説明の便宜上、情報記録媒体Ｍ１〜Ｍ５に記録されている媒体識別コードが、それぞれＣＣ００１〜ＣＣ００５であるものとし、図示のとおり、各媒体が、当該企業の社員である「鈴木一郎」〜「高橋五郎」に社員証として配布されているものとする。媒体識別コードＣＣ００１〜ＣＣ００５は、各端末装置Ｔ１１〜Ｔ４３が読み取り可能な形態であれば、どのような方法で記録されていてもかまわない。
【００３９】
この行き先提示システムにおいて、各端末装置Ｔ１１〜Ｔ４３は、２つの機能を果たす。第１の機能は、その設置場所に特定のメンバーが立ち寄った場合に、当該メンバーが立ち寄ったことを、他の端末装置に対して報知する発信源としての機能である。たとえば、社員「鈴木一郎」が、東京本社１０１号室に立ち寄った場合、この東京本社１０１号室に設置された端末装置Ｔ１１は、「鈴木一郎が東京本社１０１号室に立ち寄った」という事実を、他の端末装置Ｔ１２〜Ｔ４３に対して報知する機能を有する。別言すれば、個々の端末装置は、あるメンバーが自分の設置場所に立ち寄ったときに、「誰がどこに立ち寄ったか」を報告するための情報（本発明では、経路報告情報と呼ぶ）を、他の端末装置に対して送信する機能を有している。
【００４０】
一方、各端末装置のもつ第２の機能は、特定のメンバーについての経路履歴（どこに立ち寄ったかを示す履歴）を提示する機能である。ここで、重要な点は、経路履歴の提示が行われる「特定のメンバー」として、「過去に立ち寄ったことのあるメンバー」を選択するという点である。前述したとおり、個々の端末装置が、すべてのメンバーの行き先提示を行うようにすると、閲覧者は、所望のメンバーを名前などで検索する作業を行う必要が生じることになり、閲覧作業が繁雑にならざるを得ない。本発明のユニークな着眼点は、ある特定のメンバーがある特定の場所に立ち寄った場合、当該立ち寄り場所に当該特定のメンバーの以後の行き先を提示すると、非常に効果的な行き先提示が可能になるであろう、という点にある。
【００４１】
たとえば、図１に示すシステムにおいて、次のような例を考えてみる。いま、社員「鈴木一郎」が、千葉支社のスタッフであり、自分の席が千葉支社３０１号室に設けられているものとしよう。そして、朝９時に出社した「鈴木一郎」が、まず、自分の席で業務の準備を行った後、午前中に東京本社へと出張し、１０２号室で打ち合わせを行い、１０４号室での会議に出席したとする。そして、午後一番に、横浜支社２０３号室で顧客と会い、夕方には、埼玉工場４０２号室に材料を届け、再び千葉支社３０１号室の自席に戻ったものとしよう。
【００４２】
結局、「鈴木一郎」のこの日の移動経路は、千葉支社３０１号室→東京本社１０２号室→同１０４号室→横浜支社２０３号室→埼玉工場４０２号室→千葉支社３０１号室という経路になり、これらの各部屋が、当日の「鈴木一郎」の立ち寄り先ということになる。ここで、このような移動経路をとった「鈴木一郎」の行き先を知りたいと考えているスタッフの所在を考えてみると、これらの立ち寄り先に集中的に分布している蓋然性が高いことは容易に理解できよう。「鈴木一郎」は、個々の立ち寄り先において、通常、社内もしくは社外の誰かと面会しているはずであり、当該面会者は、当然、「鈴木一郎」の業務に関連した業務を行っていると考えられる。したがって、「鈴木一郎」の行き先提示を行う場所として、「鈴木一郎」の立ち寄り先を選択することは、極めて合理的である。当該立ち寄り先には、「鈴木一郎」との面会者が滞在している可能性が高く、当該立ち寄り先に「鈴木一郎」の行き先を提示すれば、これら面会者に対して有用な情報提示を行うことができる。
【００４３】
このような考え方に基づいて、本発明に係るシステムでは、各端末装置Ｔ１１〜Ｔ４３は、それぞれ過去に立ち寄ったことのある特定のメンバーについてのその後の経路履歴を提示する機能を果たすことになる。たとえば、上述の例の場合、千葉支社３０１号室には、「鈴木一郎」が朝９時に立ち寄っているので、端末装置Ｔ３１には、その後の「鈴木一郎」の足取りが提示されることになる。すなわち、「鈴木一郎」が東京本社１０２号室に到着した時点では、「→東京本社１０２号室」との提示がなされ、続いて、１０４号室に到着した時点では、「→東京本社１０２号室→同１０４号室」との提示がなされ、更に、午後になって横浜支社２０３号に到着した時点では、「→東京本社１０２号室→同１０４号室→横浜支社２０３号室」との提示がなされる。千葉支社３０１号室に、「鈴木一郎」と同じ部署に所属する同僚が常駐している場合、端末装置Ｔ３１に、このような「鈴木一郎」の経路履歴が提示されれば、非常に有用である。
【００４４】
一方、東京本社１０２号室には、「鈴木一郎」が午前中に立ち寄っているので、端末装置Ｔ１１には、その後の「鈴木一郎」の足取りが提示されることになる。すなわち、東京本社１０４号室に到着した時点では、「→東京本社１０４号室」との提示がなされ、午後になって横浜支社２０３号に到着した時点では、「→東京本社１０４号室→横浜支社２０３号室」との提示がなされ、夕方になって埼玉工場４０２号に到着した時点では、「→東京本社１０４号室→横浜支社２０３号室→埼玉工場４０２号室」との提示がなされる。東京本社１０２号室に、「鈴木一郎」と打ち合わせを行った別なスタッフが滞在していた場合、端末装置Ｔ１１に、このような「鈴木一郎」の経路履歴が提示されれば、非常に有用である。
【００４５】
このように、ある特定のメンバーの立ち寄り先に設置されている端末装置上に、当該特定のメンバーのその後の行き先に関する情報を提示する、という点が本発明の基本原理となっており、このような基本原理に基づく行き先提示を行えば、特定のメンバーの行き先情報を、当該情報が必要な適所に効率的に提示する、という本発明の目的達成が可能になる。もちろん、実際には、「鈴木一郎」の立ち寄り先ではない部署のスタッフが、「鈴木一郎」の所在を知りたいと欲する可能性もあり、本発明に係るシステムは、そのような要求には応じることはできない。しかしながら、上述したとおり、「鈴木一郎」の行き先を知りたいと欲するスタッフの多くは、「鈴木一郎」の立ち寄り先にいるスタッフである蓋然性が高く、大局的に見地からは、本発明に係るシステムは、実用上、十分に機能するものである。
【００４６】
本発明に係る行き先提示システムを構築する際には、まず、図示のような端末装置Ｔ１１〜Ｔ４３をそれぞれ所定の場所に設置する必要がある。一方、それぞれ固有の媒体識別コードが記録された携帯可能な情報記録媒体Ｍ１〜Ｍ５を用意し、行き先提示の対象者、すなわち、ここで述べる例の場合は、この企業の各メンバーに、これを所持させるようにする。そして、各メンバーには、特定の場所に立ち寄った際に、当該特定の場所に設置された端末装置に、所持している情報記録媒体に記録されている媒体識別コードを読み取らせる作業を行うように指示しておく。
【００４７】
結局、特定のメンバーが、特定の端末装置の設置場所に来たときに、当該特定の端末装置により、当該特定のメンバーが所持する情報記録媒体に記録された媒体識別コードが読み取られることになる。この読み取られた媒体識別コードは、当該特定のメンバーを示すコードとして用いられることになり、当該特定の端末装置内に登録される。この登録は、当該媒体識別コードで示される特定のメンバーが、当該特定の端末装置の設置場所に立ち寄ったことを示す意味をもつ。
【００４８】
また、当該特定の端末装置は、「読み取った媒体識別コード」と「自己の設置場所を直接的もしくは間接的に示す場所情報」とを含んだ経路報告情報を、他の端末装置（自分以外のすべての端末装置）へ送信する。ここで、この経路報告情報は、「誰（読み取った媒体識別コードで示される特定のメンバー）が、どこ（場所情報で示される設置場所）に立ち寄ったか」を示す情報ということができる。しかも、この経路報告情報は、特定の通信先を指定する方式ではなく、ネットワークＮに接続された他のすべての端末装置へ向けられたいわゆる「ブロードキャスト」方式で一斉に送信されることになる。
【００４９】
なお、ＴＣＰ／ＩＰプロトコルにおける「ブロードキャスト」は、ルータで区切られた同一のネットワーク内への一斉送信を意味する言葉として用いられているが、本願でいう「ブロードキャスト」とは、必ずしもルータで区切られた範囲内のみの送信を意味するものではなく、本システムの構成要素となる他のすべての端末装置に対する一斉送信を意味するものである。
【００５０】
一方、各端末装置は、上記「ブロードキャスト」方式で別な端末装置から経路報告情報が送信されてきたら、これをひとまず受信した上で、「受信した経路報告情報」に含まれている媒体識別コードが過去に登録されているか否かを判定する。この判定は、結局、「受信した経路報告情報」が、過去に立ち寄ったメンバーに関するものであるか否かを調べる判定ということになる。そして、登録されていた場合には、当該「受信した経路報告情報」に含まれている場所情報を当該媒体識別コードに関する経路履歴として蓄積する処理を行い、必要に応じて、蓄積されている経路履歴の一部もしくは全部を提示する処理を行う。すなわち、「受信した経路報告情報」が、過去に立ち寄ったメンバーに関するものであった場合には、これを蓄積し提示する処理が行われ、それ以外のメンバーに関するものであった場合にはこれを破棄する処理が行われる。その結果、各端末装置には、過去に立ち寄ったメンバーに関するその後の足取りを示す経路履歴のみが取捨選択されて提示されることになる。
【００５１】
＜＜＜  §２．  端末装置の内部構成  ＞＞＞
続いて、図１に示す各端末装置Ｔ１１〜Ｔ４３の具体的な内部構成例を、図２のブロック図を参照しながら説明する。図２に一点鎖線で囲った部分からなる端末装置Ｔは、図１に示す端末装置Ｔ１１〜Ｔ４３の任意の１つを示すものであり、図２に示す情報記録媒体Ｍは、図１に示す情報記録媒体Ｍ１〜Ｍ５の任意の１つを示すものである。図示のとおり端末装置Ｔは、ネットワークＮに接続されており、このネットワークＮを介して、図示されていない別な端末装置と交信することができる。前述したとおり、情報記録媒体Ｍ内には、当該情報記録媒体を識別するための固有の媒体識別コードが記録されている。図２には、「ＣＣ００１」なる媒体識別コードが記録されている例が示されている（図１に示す情報記録媒体Ｍ１の場合の例）。
【００５２】
図示のとおり、端末装置Ｔは、コード読出部１１０，コード登録部１２０，経路履歴格納部１３０，場所情報格納部１４０，経路報告情報送信部１５０，経路報告情報受信部１６０，経路履歴書込部１７０，経路履歴提示部１８０，経路履歴削除部１９０なる構成要素からなる。もっとも、後述するように、この端末装置Ｔは、実際には、パソコンなどの電子機器によって構成される装置であり、これらの各ブロックは、この電子機器用のハードウエアおよびソフトウエアによって構築される構成要素ということになる。
【００５３】
コード読出部１１０は、情報記録媒体Ｍに記録されている媒体識別コードを読み出す機能をもった構成要素であり、コード登録部１２０は、このコード読出部１１０による読み出しが行われたときに、読み出された媒体識別コードを経路履歴格納部１３０内に登録する処理を行う構成要素である。また、経路履歴格納部１３０は、後述するように、ネットワークＮを経由して報告された「特定の情報記録媒体（登録済みの情報記録媒体）」の経路履歴を格納する構成要素であり、実際には、コンピュータ用のメモリや記憶装置の一記憶領域として構成することができる。
【００５４】
図２には、コード読出部１１０によって、情報記録媒体Ｍから媒体識別コード「ＣＣ００１」が読み出され、これがコード登録部１２０によって、経路履歴格納部１３０内に登録された状態が示されている。ここで、媒体識別コードの登録とは、単に、当該コードを経路履歴格納部１３０に記録するだけでなく、当該媒体識別コードに関連する経路履歴を格納する準備を整えることを意味している。図の経路履歴格納部１３０内には、「媒体識別コード」および「経路履歴」なる見出しのついた表が示されているが、これは、特定の「媒体識別コード」に関連して、経路履歴の格納欄が確保されていることを示している。具体的には、図示の例の場合、「ＣＣ００１」なる媒体識別コードに関連して、５つの経路履歴格納欄（現状では空欄）が確保された状態が示されており、媒体識別コード「ＣＣ００１」は、この５つの格納欄についての見出しとしての機能を果たす。
【００５５】
もちろん、図示の表は、特定の媒体識別コードに関する経路履歴の格納状態を、視覚的に把握しやすいように示したものであり、実際には、必ずしもこのような表形式で経路履歴を格納する必要はない。個々の経路履歴を、特定の媒体識別コードに関するデータとして格納することができれば、経路履歴格納部１３０内のデータ格納フォーマットは、どのようなものであってもかまわない。
【００５６】
場所情報格納部１４０は、自己（端末装置Ｔ自身）の設置場所を直接的もしくは間接的に示す場所情報を格納した構成要素である。図では、「千葉支社３０１号室」なる文字列からなるデータが、場所情報格納部１４０内に場所情報として格納されている例（端末装置Ｔが図１に示す端末装置Ｔ３１であった場合の例）が示されている。この場合、「千葉支社３０１号室」なる文字列は、端末装置Ｔ３１の設置場所を直接的に示す場所情報ということになるが、後述するように、場所情報としては、設置場所を間接的に示す情報を用いてもかまわない。もちろん、東京本社１０１号室に設置された端末装置Ｔ１１内の場所情報格納部１４０には、「東京本社１０１号室」なる文字列からなるデータが格納されていることになる。
【００５７】
経路報告情報送信部１５０は、コード読出部１１０による読み出しが行われたときに、読み出された媒体識別コードと、場所情報格納部１４０内に格納されている場所情報と、を含んだ経路報告情報を作成し、この経路報告情報を、ネットワークＮを介して、他の端末装置へ送信する処理を行う。図２の右上には、経路報告情報の具体例として、「ＣＣ００１」なる媒体識別コードと「千葉支社３０１号室」なる場所情報とを含む例が示されている。この経路報告情報は、前述したとおり、ネットワークＮに接続された他のすべての端末装置へ向けられたいわゆる「ブロードキャスト」方式で一斉に送信されることになる。
【００５８】
経路報告情報は、「誰がどこに立ち寄ったか」を示す情報であり、図示の例の場合、「媒体識別コード『ＣＣ００１』で特定される情報記録媒体の所持者が、場所情報『千葉支社３０１号室』で特定される場所に立ち寄った」ことを示している。すなわち、「媒体識別コード『ＣＣ００１』が記録されている情報記録媒体Ｍ」を所持している者が、端末装置Ｔと情報記録媒体Ｍとを交信させ、媒体識別コード「ＣＣ００１」を読み取らせる作業を行った時点で、「この者が千葉支社３０１号室に立ち寄った」ことを示す経路報告情報が、「ブロードキャスト」方式で他の端末装置に対して一斉に送信されることになる。
【００５９】
一方、経路報告情報受信部１６０は、別な端末装置（図２には示されていない）からネットワークＮを介して、経路報告情報が送信されてきたときに、これを受信し、経路履歴書込部１７０へと引き渡す処理を行う。そして、経路履歴書込部１７０は、この「受信した経路報告情報」に含まれている媒体識別コードが、経路履歴格納部１３０に登録されているか否かを判定し、登録されていた場合には、当該媒体識別コードに関する格納欄に、当該「受信した経路報告情報」に含まれている場所情報を新たな経路履歴として書き込む処理を行う。たとえば、図２に示す例の場合、経路履歴格納部１３０には、媒体識別コード「ＣＣ００１」が登録されているので、もし「受信した経路報告情報」に含まれている媒体識別コードが「ＣＣ００１」であった場合には、「受信した経路報告情報」に含まれている場所情報を、新たな経路履歴として、この媒体識別コード「ＣＣ００１」に対応する格納欄に書き込む処理を行うことになる。また、それ以外の媒体識別コードが含まれている経路報告情報を受信した場合には、これをそのまま破棄する。
【００６０】
経路履歴提示部１８０は、外部から提示指示が与えられたときに、もしくは予め設定された所定の提示条件が満たされたときに、経路履歴格納部１３０に格納されている経路履歴の一部もしくは全部を提示する処理を行う。具体的な提示例は後に示すことにするが、経路履歴格納部１３０に格納されている経路履歴は、過去に立ち寄ったことがあるメンバーについてのその後の経路履歴ということになるので、経路履歴提示部１８０は、過去に立ち寄ったことがあるメンバーについての経路履歴を選択的に提示することができる。
【００６１】
経路履歴削除部１９０は、外部から削除指示が与えられたときに、もしくは予め設定された所定の削除条件が満たされたときに、経路履歴格納部１３０の格納内容の一部もしくは全部を削除する処理を行う。この経路履歴削除部１９０は、本発明に係るシステムの動作原理上は、必須の構成要素ではないが、実用上は、必要に応じて、経路履歴格納部１３０に蓄積されている経路履歴を削除することができるように、端末装置Ｔ内の一構成要素として設けておくのが好ましい。
【００６２】
＜＜＜  §３．  行き先提示システムの具体的な動作例  ＞＞＞
続いて、図１に示す行き先提示システムにおける各端末装置Ｔ１１〜Ｔ４３が、いずれも図２に示す端末装置Ｔのような構成を有しているものとして、このシステムの具体的な動作例を述べておく。ここでは、§１でも例示したように、千葉支社のスタッフである「鈴木一郎」が、媒体識別コード「ＣＣ００１」が記録されている情報記録媒体Ｍ１を所持しながら、朝９時に千葉支社３０１号室に出社した後、千葉支社３０１号室→東京本社１０２号室→同１０４号室→横浜支社２０３号室→埼玉工場４０２号室→千葉支社３０１号室という経路で移動した場合を考えてみる。
【００６３】
図３は、図１に示されている各端末装置Ｔ１１〜Ｔ４３の経路履歴格納部１３０内に格納されている経路履歴の初期状態を示す図である。ここでは、説明の便宜上、端末装置Ｔ３１，Ｔ１２，Ｔ１４，Ｔ２３，Ｔ４２（いずれも、「鈴木一郎」が立ち寄った部屋に設置されている端末装置）の経路履歴格納部１３０内の状態をそれぞれ独立した表で示し、その他の端末装置の経路履歴格納部１３０内の状態は、共通した表で示してある。図３に示す初期状態では、いずれの表も空欄となっている。
【００６４】
さて、「鈴木一郎」が朝９時に千葉支社３０１号室に出社し、所持していた情報記録媒体Ｍ１を端末装置Ｔ３１にアクセスさせると、コード読出部１１０によって、媒体識別コード「ＣＣ００１」が読み出され、コード登録部１２０によって経路履歴格納部１３０に登録される。この登録は、「鈴木一郎」が千葉支社３０１号室に立ち寄ったことを示すことになる。図４は、このときの経路履歴の変化状態を示す図である。千葉支社３０１号室に設置されている端末装置Ｔ３１内にのみ、媒体識別コード「ＣＣ００１」が登録された状態が示されている。このとき、端末装置Ｔ３１内の経路報告情報送信部１５０は、読み出された媒体識別コード「ＣＣ００１」と、場所情報格納部１４０に格納されていた場所情報（この場合、「千葉支社３０１号室」なる文字列）と、を含む経路報告情報を作成し、これをネットワークＮを介してブロードキャスト送信する。ただ、この時点では、媒体識別コード「ＣＣ００１」が登録されている端末装置は、端末装置Ｔ３１以外は存在しないので、ブロードキャスト送信された経路報告情報は、他の端末装置では破棄されることになる。
【００６５】
続いて、「鈴木一郎」が、東京本社へと出張し、東京本社１０２号室に入室し、所持していた情報記録媒体Ｍ１を端末装置Ｔ１２にアクセスさせると、今度は、端末装置Ｔ１２内のコード読出部１１０によって、媒体識別コード「ＣＣ００１」が読み出され、コード登録部１２０によって経路履歴格納部１３０に登録される。この登録は、「鈴木一郎」が東京本社１０２号室に立ち寄ったことを示すことになる。また、このとき、端末装置Ｔ１２内の経路報告情報送信部１５０は、読み出された媒体識別コード「ＣＣ００１」と、場所情報格納部１４０に格納されていた場所情報（この場合、「東京本社１０２号室」なる文字列）と、を含む経路報告情報を作成し、これをネットワークＮを介してブロードキャスト送信する。
【００６６】
その結果、端末装置Ｔ１２から発せられた経路報告情報は、他のすべての端末装置の経路報告情報受信部１６０によって受信され、経路履歴書込部１７０へ引き渡されることになる。各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「東京本社１０２号室」なる文字列）を新たな経路履歴として書き込む処理を行い、登録されていない場合には、当該「受信した経路報告情報」を破棄する。
【００６７】
ここに示す例の場合、この時点で媒体識別コード「ＣＣ００１」が経路履歴格納部１３０に登録されている他の端末装置（Ｔ１２以外の端末装置）は、千葉支社３０１号室に設置された端末装置Ｔ３１のみであるから、「東京本社１０２号室」なる文字列は、端末装置Ｔ３１の経路履歴格納部１３０内の媒体識別コード「ＣＣ００１」に関する格納欄にのみ、新たな経路履歴として書き込まれることになる。それ以外の端末装置では、「受信した経路報告情報」は破棄される。図５は、このときの経路履歴の変化状態を示す図である。千葉支社３０１号室に設置されている端末装置Ｔ３１内には、媒体識別コード「ＣＣ００１」に関する格納欄の１行目に「東京本社１０２号室」なる文字列が格納されており、東京本社１０２号室に設置された端末装置Ｔ１２には、新たに媒体識別コード「ＣＣ００１」が登録されている。
【００６８】
次に、「鈴木一郎」が、同じ東京本社内の１０４号室に移動し、所持していた情報記録媒体Ｍ１を端末装置Ｔ１４にアクセスさせると、今度は、端末装置Ｔ１４内のコード読出部１１０によって、媒体識別コード「ＣＣ００１」が読み出され、コード登録部１２０によって経路履歴格納部１３０に登録される。この登録は、「鈴木一郎」が東京本社１０４号室に立ち寄ったことを示すことになる。また、このとき、端末装置Ｔ１４内の経路報告情報送信部１５０は、読み出された媒体識別コード「ＣＣ００１」と、場所情報格納部１４０に格納されていた場所情報（この場合、「東京本社１０４号室」なる文字列）と、を含む経路報告情報を作成し、これをネットワークＮを介してブロードキャスト送信する。
【００６９】
その結果、端末装置Ｔ１４から発せられた経路報告情報は、他のすべての端末装置の経路報告情報受信部１６０によって受信され、経路履歴書込部１７０へ引き渡される。そして、各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「東京本社１０４号室」なる文字列）を新たな経路履歴として書き込む処理を行い、登録されていない場合には、当該「受信した経路報告情報」を破棄する。
【００７０】
ここに示す例の場合、この時点において、媒体識別コード「ＣＣ００１」が経路履歴格納部１３０に登録されている他の端末装置は、図５に示すとおり、千葉支社３０１号室に設置された端末装置Ｔ３１と、東京本社１０２号室に設置された端末装置Ｔ１２のみであるから、「東京本社１０４号室」なる文字列は、端末装置Ｔ３１およびＴ１２の経路履歴格納部１３０内の媒体識別コード「ＣＣ００１」に関する格納欄にのみ、新たな経路履歴として書き込まれることになる。それ以外の端末装置では、「受信した経路報告情報」は破棄される。図６は、このときの経路履歴の変化状態を示す図である。千葉支社３０１号室に設置されている端末装置Ｔ３１内には、媒体識別コード「ＣＣ００１」に関する格納欄の２行目に「東京本社１０４号室」なる文字列が格納され、東京本社１０２号室に設置されている端末装置Ｔ１２内には、媒体識別コード「ＣＣ００１」に関する格納欄の１行目に「東京本社１０４号室」なる文字列が格納され、東京本社１０４号室に設置された端末装置Ｔ１４には、新たに媒体識別コード「ＣＣ００１」が登録されている。
【００７１】
さて、午後になって、「鈴木一郎」が、横浜支社内の２０３号室に移動し、所持していた情報記録媒体Ｍ１を端末装置Ｔ２３にアクセスさせると、今度は、端末装置Ｔ２３内のコード読出部１１０によって、媒体識別コード「ＣＣ００１」が読み出され、コード登録部１２０によって経路履歴格納部１３０に登録される。この登録は、「鈴木一郎」が横浜支社２０３号室に立ち寄ったことを示すことになる。また、このとき、端末装置Ｔ２３内の経路報告情報送信部１５０は、読み出された媒体識別コード「ＣＣ００１」と、場所情報格納部１４０に格納されていた場所情報（この場合、「横浜支社２０３号室」なる文字列）と、を含む経路報告情報を作成し、これをネットワークＮを介してブロードキャスト送信する。
【００７２】
その結果、端末装置Ｔ２３から発せられた経路報告情報は、他のすべての端末装置の経路報告情報受信部１６０によって受信され、経路履歴書込部１７０へ引き渡される。そして、各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「横浜支社２０３号室」なる文字列）を新たな経路履歴として書き込む処理を行い、登録されていない場合には、当該「受信した経路報告情報」を破棄する。
【００７３】
ここに示す例の場合、この時点において、媒体識別コード「ＣＣ００１」が経路履歴格納部１３０に登録されている他の端末装置は、図６に示すとおり、千葉支社３０１号室に設置された端末装置Ｔ３１、東京本社１０２号室に設置された端末装置Ｔ１２、東京本社１０４号室に設置された端末装置Ｔ１４の３台であるから、「横浜支社２０３号室」なる文字列は、これら３台の経路履歴格納部１３０内の媒体識別コード「ＣＣ００１」に関する格納欄に、新たな経路履歴として書き込まれることになる。それ以外の端末装置では、「受信した経路報告情報」は破棄される。
【００７４】
図７は、このときの経路履歴の変化状態を示す図である。端末装置Ｔ３１，Ｔ１２，Ｔ１４には、いずれも媒体識別コード「ＣＣ００１」に関する格納欄に、新たな経路履歴として「横浜支社２０３号室」なる文字列が追加されている。また、横浜支社２０３号室に設置された端末装置Ｔ２３には、新たに媒体識別コード「ＣＣ００１」が登録されている。
【００７５】
更に夕方になって、「鈴木一郎」が、埼玉工場内の４０２号室に移動し、所持していた情報記録媒体Ｍ１を端末装置Ｔ４２にアクセスさせると、今度は、端末装置Ｔ４２内のコード読出部１１０によって、媒体識別コード「ＣＣ００１」が読み出され、コード登録部１２０によって経路履歴格納部１３０に登録される。この登録は、「鈴木一郎」が埼玉工場４０２号室に立ち寄ったことを示すことになる。また、このとき、端末装置Ｔ４２内の経路報告情報送信部１５０は、読み出された媒体識別コード「ＣＣ００１」と、場所情報格納部１４０に格納されていた場所情報（この場合、「埼玉工場４０２号室」なる文字列）と、を含む経路報告情報を作成し、これをネットワークＮを介してブロードキャスト送信する。
【００７６】
その結果、端末装置Ｔ４２から発せられた経路報告情報は、他のすべての端末装置の経路報告情報受信部１６０によって受信され、経路履歴書込部１７０へ引き渡される。そして、各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「埼玉工場４０２号室」なる文字列）を新たな経路履歴として書き込む処理を行い、登録されていない場合には、当該「受信した経路報告情報」を破棄する。
【００７７】
ここに示す例の場合、この時点において、媒体識別コード「ＣＣ００１」が経路履歴格納部１３０に登録されている他の端末装置は、図７に示すとおり、千葉支社３０１号室に設置された端末装置Ｔ３１、東京本社１０２号室に設置された端末装置Ｔ１２、東京本社１０４号室に設置された端末装置Ｔ１４、横浜支社２０３号室に設置された端末装置Ｔ２３の４台であるから、「埼玉工場４０２号室」なる文字列は、これら４台の経路履歴格納部１３０内の媒体識別コード「ＣＣ００１」に関する格納欄に、新たな経路履歴として書き込まれることになる。それ以外の端末装置では、「受信した経路報告情報」は破棄される。
【００７８】
図８は、このときの経路履歴の変化状態を示す図である。端末装置Ｔ３１，Ｔ１２，Ｔ１４，Ｔ２３には、いずれも媒体識別コード「ＣＣ００１」に関する格納欄に、新たな経路履歴として「埼玉工場４０２号室」なる文字列が追加されている。また、埼玉工場４０２号室に設置された端末装置Ｔ４２には、新たに媒体識別コード「ＣＣ００１」が登録されている。
【００７９】
この後、「鈴木一郎」が、千葉支店３０１号室の自席に戻り、所持していた情報記録媒体Ｍ１を端末装置Ｔ３１にアクセスさせると、今度は、端末装置Ｔ３１内のコード読出部１１０によって、媒体識別コード「ＣＣ００１」が読み出され、コード登録部１２０によって経路履歴格納部１３０に登録されることになる。ただし、図８に示すように、この時点において、既に媒体識別コード「ＣＣ００１」は、端末装置Ｔ３１内に登録済みとなっている。このように、コード登録部１２０が、所定の媒体識別コードを経路履歴格納部１３０内に登録する処理を行う際に、当該所定の媒体識別コードが既に登録済みであった場合には、次の２通りの方法をとることができる。
【００８０】
第１の方法は、そのままの登録状態を維持する方法である。別言すれば、経路履歴格納部１３０の内容に関しては、何ら変更は加えられないことになり、図８に示す端末装置Ｔ３１内の状態がそのまま維持されることになる。つまり、「東京本社１０２号室→東京本社１０４号室→横浜支社２０３号室→埼玉工場４０２号室」という経路履歴はそのまま残される。
【００８１】
第２の方法は、当該登録済みの媒体識別コードに関する格納欄の経路履歴をすべて削除する処理を行う方法である。これは、「鈴木一郎」は、過去に立ち寄った千葉支社３０１号室に再び戻ってきたのであるから、その千葉支社３０１号室に設置された端末装置Ｔ３１に関する限りにおいて、「鈴木一郎」の経路履歴をリセットすべきである、との考え方に基づく処理方法である。このような処理方法を採ると、端末装置Ｔ３１内の媒体識別コード「ＣＣ００１」に関する格納欄の経路履歴はすべて削除され、図４に示す状態に戻ることになる。
【００８２】
一方、このとき、端末装置Ｔ３１内の経路報告情報送信部１５０は、読み出された媒体識別コード「ＣＣ００１」と、場所情報格納部１４０に格納されていた場所情報（この場合、「千葉支社３０１号室」なる文字列）と、を含む経路報告情報を作成し、これをネットワークＮを介してブロードキャスト送信する。
【００８３】
その結果、端末装置Ｔ３１から発せられた経路報告情報は、他のすべての端末装置の経路報告情報受信部１６０によって受信され、経路履歴書込部１７０へ引き渡される。そして、各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「千葉支社３０１号室」なる文字列）を新たな経路履歴として書き込む処理を行い、登録されていない場合には、当該「受信した経路報告情報」を破棄する。
【００８４】
ここに示す例の場合、この時点において、媒体識別コード「ＣＣ００１」が経路履歴格納部１３０に登録されている他の端末装置は、図８に示すとおり、端末装置Ｔ１２，Ｔ１４，Ｔ２３，Ｔ４２の４台であるから、「千葉支社３０１号室」なる文字列は、これら４台の経路履歴格納部１３０内の媒体識別コード「ＣＣ００１」に関する格納欄に、新たな経路履歴として書き込まれることになる。それ以外の端末装置では、「受信した経路報告情報」は破棄される。
【００８５】
図９は、このときの経路履歴の変化状態を示す図である。端末装置Ｔ１２，Ｔ１４，Ｔ２３，Ｔ４２には、いずれも媒体識別コード「ＣＣ００１」に関する格納欄に、新たな経路履歴として「千葉支社３０１号室」なる文字列が追加されている。なお、この図９に示す例では、千葉支社３０１号室に設置された端末装置Ｔ３１については、前述の第２の方法を採り、媒体識別コード「ＣＣ００１」に関する格納欄をリセットして、経路履歴をすべて削除する処理を行っているが、前述の第１の方法を採った場合は、端末装置Ｔ３１の内容は、図８に示す状態のまま維持される。
【００８６】
ここでは、「鈴木一郎」が、このあと更に、横浜支社２０３号室を再訪した場合を考えてみる。横浜支社２０３号室において、「鈴木一郎」が所持していた情報記録媒体Ｍ１を端末装置Ｔ２３にアクセスさせると、端末装置Ｔ２３内のコード読出部１１０によって、媒体識別コード「ＣＣ００１」が読み出され、コード登録部１２０によって経路履歴格納部１３０に登録される。また、このとき、端末装置Ｔ２３内の経路報告情報送信部１５０は、読み出された媒体識別コード「ＣＣ００１」と、場所情報格納部１４０に格納されていた場所情報（この場合、「横浜支社２０３号室」なる文字列）と、を含む経路報告情報を作成し、これをネットワークＮを介してブロードキャスト送信する。
【００８７】
その結果、端末装置Ｔ２３から発せられた経路報告情報は、他のすべての端末装置の経路報告情報受信部１６０によって受信され、経路履歴書込部１７０へ引き渡される。そして、各端末装置内の経路履歴書込部１７０は、この「受信した経路報告情報」に含まれている媒体識別コード「ＣＣ００１」が、経路履歴格納部１３０に登録されているか否かを判定し、登録されていた場合には、当該媒体識別コードに関する格納欄に、当該「受信した経路報告情報」に含まれている場所情報（「横浜支社２０３号室」なる文字列）を新たな経路履歴として書き込む処理を行い、登録されていない場合には、当該「受信した経路報告情報」を破棄する。
【００８８】
ここに示す例の場合、この時点において、媒体識別コード「ＣＣ００１」が経路履歴格納部１３０に登録されている他の端末装置は、図９に示すとおり、端末装置Ｔ３１，Ｔ１２，Ｔ１４，Ｔ４２の４台であるから、「横浜支社２０３号室」なる文字列は、これら４台の経路履歴格納部１３０内の媒体識別コード「ＣＣ００１」に関する格納欄に、新たな経路履歴として書き込まれることになる。それ以外の端末装置では、「受信した経路報告情報」は破棄される。
【００８９】
図１０は、このときの経路履歴の変化状態を示す図である。端末装置Ｔ３１，Ｔ１２，Ｔ１４，Ｔ４２には、いずれも媒体識別コード「ＣＣ００１」に関する格納欄に、新たな経路履歴として「横浜支社２０３号室」なる文字列が追加されている。なお、この図１０に示す例においても、横浜支社２０３号室に設置された端末装置Ｔ２３については、前述の第２の方法を採り、媒体識別コード「ＣＣ００１」に関する格納欄をリセットして、経路履歴をすべて削除する処理を行っているが、前述の第１の方法を採った場合は、端末装置Ｔ２３の内容は、図９に示す状態のまま維持される。
【００９０】
以上、図３〜図１１を参照して、「鈴木一郎」の移動とともに、各端末装置内の経路履歴の変遷を順を追って説明したが、結局、いずれの端末装置においても、媒体識別コード「ＣＣ００１」に関する格納欄には、過去に立ち寄った「鈴木一郎」のその後の足跡を示す経路履歴が蓄積されることになる。もちろん、別なメンバー「田中二郎」が立ち寄った端末装置内には、媒体識別コード「ＣＣ００２」に関する格納欄が作成され、この「田中二郎」のその後の足跡を示す経路履歴が蓄積されることになる。このように、各端末装置内には、過去に立ち寄ったことがある特定のメンバーについてのその後の足跡を示す経路履歴が、個々のメンバーごとに別個に蓄積されることになる。
【００９１】
したがって、各端末装置内の経路履歴提示部１８０は、必要に応じて（たとえば、外部から提示指示が与えられた場合に）、この経路履歴格納部１３０内に格納されている経路履歴の一部もしくは全部を提示することができる。しかも、経路履歴格納部１３０内に格納されている経路履歴は、リアルタイム（次の移動場所における端末装置から、経路報告情報が送信されてくるまでの間、いくらかのタイムラグは生じるが）で更新されてゆくので、時々刻々と変化する経路履歴を逐次提示してゆくことが可能である。
【００９２】
たとえば、図１１(a) は、「鈴木一郎」が、千葉支社３０１号室を起点として、東京本社１０２号室→同１０４号室→横浜支社２０３号室→埼玉工場４０２号室まで移動した時点において、千葉支社３０１号室にいる同僚が、端末装置Ｔ３１に対して提示指示を与えたときの提示例を示している。このような表示は、図８の左上に示されている端末装置Ｔ３１内の経路履歴に基づいて行うことができる。すなわち、図示の例では、端末装置Ｔ３１内には、東京本社１０２号室，東京本社１０４号室，横浜支社２０３号室，埼玉工場４０２号室という文字列の形式で、経路履歴が順番に蓄積されているので、これらの文字列をその順番のままディスプレイ画面上に表示すれば、図１１(a) に示すような提示が得られる。このような提示を見た閲覧者（「鈴木一郎」の同僚）は、「鈴木一郎」の足跡を一目で把握することができる。
【００９３】
このように、特定のメンバーの足跡を順番に提示するには、経路履歴書込部１７０が、所定の媒体識別コードに関する格納欄に、新たな経路履歴を書き込む際に、当該格納欄の末尾に経路履歴を追加書き込みし、同一格納欄に複数の経路履歴が順次蓄積して格納されるようにしておけばよい（図３〜図１０の例に示すとおり）。そうすれば、経路履歴提示部１８０が、個々の媒体識別コードごとに、該当格納欄に格納されている経路履歴を格納順に表示するだけで、図１１(a) に示すような提示が得られる。もちろん、格納順とは逆順に提示することも可能である。その場合は、最後の移動場所が最初に提示されることになる（図１１(a) とは、表示順が上下逆になる）。
【００９４】
もっとも、実用上は、必ずしも図１１(a) に示すように、足跡一覧を提示する必要はない。たとえば、「今、どこに居るのか」という情報のみを把握できれば十分な場合には、図１１(b) に示すように、現時点での最新の経路履歴のみを表示すればよい。この表示は、図８の左上に示されている端末装置Ｔ３１の最下行に格納されている「埼玉工場４０２号」なる文字列のみ（格納欄に格納されている経路履歴の末尾の１つのみ）を抽出することにより可能になる。
【００９５】
もちろん、経路履歴提示部１８０は、個々の媒体識別コードごとに、該当格納欄に格納されている経路履歴の末尾から予め設定された所定番目までを格納順もしくはその逆順に表示することも可能である。たとえば、末尾から３番目までを表示させるようにしておけば、図１１(a) に示す表示の代わりに、東京本社１０４号室→横浜支社２０３号室→埼玉工場４０２号室という直近の３箇所の場所のみの表示が行われる。
【００９６】
また、図１１(a) ，(b) には、「鈴木一郎」の経路履歴（媒体識別コード「ＣＣ００１」に関する経路履歴）のみが提示されている例が示されているが、実際には、複数のメンバーが立ち寄った端末装置には、複数のメンバーについての経路履歴がそれぞれ蓄積されることになる。このように、複数のメンバーについての経路履歴が蓄積されている場合には、個々のメンバーごとに、それぞれ経路履歴の提示を行うようにすればよい。
【００９７】
図１２(a) は、３人のメンバー「鈴木一郎」、「佐藤三郎」、「高橋五郎」についての経路履歴をそれぞれ表示した例である。この表示における「ＣＣ００１」，「ＣＣ００３」，「ＣＣ００５」は、これら３人のメンバーに付与された情報記録媒体Ｍ１，Ｍ３，Ｍ５に記録されている媒体識別コードであり、それぞれのメンバーに関する経路履歴の見出しとしての機能を有している。もっとも、このような媒体識別コードは、理論的には、特定のメンバーを示すコードとして機能するが、閲覧者の立場からは、特定のメンバーを連想しにくい符号でしかない。そこで、実用上は、各情報記録媒体に、その所持者の氏名を示す氏名文字列を含む媒体識別コードを記録しておくようにし、経路履歴提示部１８０が、この氏名文字列を見出しとして用い、個々の媒体識別コードごとに、格納されている経路履歴を表示するようにすればよい。
【００９８】
たとえば、図１に示す例の場合、各情報記録媒体Ｍ１〜Ｍ５には、それぞれ「ＣＣ００１」〜「ＣＣ００５」という符号からなる媒体識別コードが記録されているが、代わりに「鈴木一郎」〜「高橋五郎」という氏名文字列からなる媒体識別コードを記録しておくようにすれば、氏名文字列からなる見出しを用いた経路履歴の表示が可能になる。ただ、氏名文字列のみからなる媒体識別コードを用いると、同姓同名のメンバーが存在する場合に混乱が生じることになるので、そのような混乱を回避する上では、「ＣＣ００１：鈴木一郎」〜「ＣＣ００５：高橋五郎」のように、ユニークな符号コードと氏名文字列との組合わせからなる媒体識別コードを用いるようにすればよい。
【００９９】
図１２(b) は、このような組合わせからなる媒体識別コードを用いた場合の経路履歴の表示例である。各メンバーの経路履歴の見出しとして、「ＣＣ００１：鈴木一郎」のような氏名文字列を含んだ表示が行われるため、閲覧者は、誰の行き先が表示されているのかを容易に把握することができる。また、同姓同名のメンバーが存在しても、符号コードの部分で区別することが可能である。
【０１００】
なお、図１２(b) に示す例では、個々の場所情報の脇に時刻の情報が括弧書きで表示されている。これらの時刻は、個々のメンバーが当該場所に到着したおおよその時刻を示すものである。たとえば、東京本社１０２号室（10:30）なる表示は、「鈴木一郎」がおよそ１０時３０分ころに、東京本社１０２号室に到着したことを示している。
【０１０１】
このような時刻表示を併せて行う場合には、経路履歴書込部１７０が、経路履歴格納部１３０内に新たな経路履歴（場所情報）を書き込む際に、当該経路履歴とともに書込時を示す情報を併せて書き込むようにしておけばよい。たとえば、「東京本社１０２号室」なる場所情報を新たな経路履歴として書き込む際には、当該書き込みを行った時点の時刻（たとえば、10:30）を付記することになる。そうすれば、経路履歴提示部１８０が、経路履歴とともにその書込時を示す情報を併せて提示することができ、図１２(b) に示すように、時刻を伴う経路履歴の提示が可能になる。
【０１０２】
もちろん、場所情報の書込時は、当該メンバーが当該場所に到着した正確な時刻ではない。たとえば、「鈴木一郎」が東京本社１０２号室に到着してから、これに関する経路履歴が千葉支社３０１号室の端末装置Ｔ３１内に記録されるまでには、まず、「鈴木一郎」が東京本社１０２号室の端末装置Ｔ１２に情報記録媒体Ｍ１の媒体識別コードを読み込ませた後、端末装置Ｔ１２からＴ３１まで経路報告情報が送信されてくる必要がある。したがって、端末装置Ｔ３１において、「東京本社１０２号室」という場所情報の書き込みが行われる書込時は、「鈴木一郎」の東京本社１０２号室への到着時に対して若干のタイムラグを有する。しかしながら、このような若干のタイムラグの存在は、実用上は支障は生じない。
【０１０３】
タイムラグをより低減させる上では、経路履歴書込部１７０が、経路履歴格納部１３０内に新たな経路履歴（場所情報）を書き込む際に、当該経路履歴とともに「当該経路履歴の元になった経路報告情報の送信時」を示す情報を併せて書き込むようにしておけばよい。たとえば、上述の例において、端末装置Ｔ１２が、経路報告情報をブロードキャスト送信する際に、送信時刻を経路報告情報に含ませる処理を行えば、これを受信した端末装置Ｔ３１側の経路履歴書込部１７０が、経路履歴格納部１３０内に経路履歴を書き込む際に、当該送信時刻を併せて書き込むことができる。
【０１０４】
なお、各端末装置の経路履歴提示部１８０は、外部から提示指示が与えられたときに、当該指示に応じた形態で経路履歴の提示を行うこともできるが、予め設定されている所定の提示条件が満たされたときに、経路履歴の提示を行うようにすることも可能である。たとえば、「常時提示する」という条件設定がなされていた場合には、経路履歴の提示を常時行うことになる。あるいは、「特定のメンバーに関する媒体識別コードが登録された後、５分経過したら、当該特定のメンバーに関する経路履歴を常に提示する」というような条件設定を行うことも可能である。
【０１０５】
また、実用上は、経路履歴の提示は、ディスプレイ画面上に文字表示する形態で行うのが好ましいが、経路履歴提示部１８０による経路履歴の提示は、必ずしも視覚的に把握可能な態様で行う必要はなく、たとえば、音声により経路履歴の提示を行うようなことも可能である。具体的には、経路履歴提示部１８０として、電話による自動応答装置を用いれば、電話による問い合わせに対して、音声で行き先を回答するようなシステムも実現可能である。
【０１０６】
＜＜＜  §４．  種々の実施形態  ＞＞＞
これまで、本発明に係る行き先提示システムの基本的な実施形態を述べてきたが、ここでは、より実用的な実施例および変形例として、いくつかの異なる実施形態を言及する。
【０１０７】
（１）  端末装置の実用的な構成例
図１に示されているとおり、本発明に係る行き先提示システムでは、互いにネットワークで接続された複数の端末装置が必須の構成要素となる。この端末装置の内部構成は、図２に端末装置Ｔとして開示したとおりであり、実際には、専用のプログラムを組み込んだコンピュータによって実現することができる。もちろん、この端末装置Ｔは、本発明に係る行き先提示システムのための専用装置として用意することも可能であるが、実用上は、本発明に係る行き先提示システム用の端末装置としての機能とは別の特定機能をもった電子機器を端末装置として用い、この特定機能を利用するための認証に用いる媒体を情報記録媒体Ｍとして用いるようにすれば、本発明の導入コストを低減させることができる。
【０１０８】
たとえば、一般的な企業であれば、既にパソコンをはじめとする種々の電子機器がネットワークで接続された環境が整っている。そこで、この既存のパソコンなどの電子機器を、そのまま本発明に係る端末装置として兼用するようにすれば、新たなハードウエアを設置する必要がなくなり、低コストで本発明の導入が可能になる。たとえば、ネットワーク（社内ＬＡＮだけに限らず、インターネットでもよい）で相互に接続されたパソコンが各部屋に設置されているのであれば、この既存のパソコンに所定の専用プログラムを組み込むことにより、当該パソコンに図２に示す端末装置Ｔとしての機能をもたせることができる。すなわち、図２に個々のブロックとして記載されている端末装置Ｔを構成する個々の構成要素は、パソコン用のハードウエアおよびソフトウエアの組合わせにより実現されることになる。もちろん、個々のパソコンは、本発明に係る行き先提示システム用の端末装置Ｔとしての機能とは別の特定機能をもった電子機器であるが、本発明の端末装置Ｔとして兼用しても、特に支障は生じない。
【０１０９】
また、最近は、セキュリティ確保の配慮から、パソコンなどの電子機器（プリンタや複写機なども含む）を利用するにあたって、ＩＣカードなどの情報記録媒体を用いた認証を要求するシステムが構築されているケースも少なくない。このようなケースでは、この電子機器を利用するための認証に用いる媒体（ＩＣカードなど）を、本発明における情報記録媒体Ｍとして用いるようにすれば、本発明の導入コストを更に低減させることができる。
【０１１０】
たとえば、社員証として個々の社員にＩＣカードを発行し、パソコンなどの個々の電子機器を利用する際に、このＩＣカードを当該電子機器に接続（有線接続でも無線接続でもよい）させ、正当な利用権限が与えられているか否かを認証するシステムが既に構築されている場合、当該ＩＣカードをそのまま本発明における情報記録媒体Ｍとして転用することが可能である。通常、このようなＩＣカードには、当該ＩＣカードを識別するための固有のコードが書き込まれているので、この固有のコードを本発明における媒体識別コードとして利用することができる。
【０１１１】
このように、ＩＣカードなどの情報記録媒体を用いた認証を要求するシステムを利用して本発明に係る行き先提示システムを実現した場合、利用する上での便宜性も向上する。すなわち、各社員は、立ち寄り先において、パソコンなどの電子機器を利用する際に、情報記録媒体を用いた認証作業を行う必要がある。この認証作業では、必然的に、情報記録媒体内の媒体識別コードがパソコン側に読み出されることになるので、結局、本発明におけるコード読出部１１０を用いた媒体識別コードの読み出し処理は、社員が認証作業を行うことによって自動的に実行されることになる。別言すれば、個々の社員は、本発明に係る行き先提示システムの運用の目的で、社員証をパソコンなどの電子機器に接続する作業を行う必要はなく、従来どおり、パソコンを利用するための認証を行う目的で、社員証をパソコンなどの電子機器に接続する作業を行えばよい。
【０１１２】
特に、特定の部屋に入出するためのドアやゲートに設けられた電子錠を、そのまま本発明に係る端末装置Ｔとして利用する形態を採れば、各社員が、電子鍵として機能するＩＣカードなどの情報記録媒体を用いて、電子錠を解錠する作業を行うだけで、コード読出部１１０を用いた媒体識別コードの読み出し処理が完了する。
【０１１３】
最近は、ドアやゲートに電子錠を設け、これを解錠するための電子鍵としてＩＣカードなどを利用するケースが増えており、しかも、各電子錠をネットワークで接続して管理するような運用形態も増えてきている。このような運用形態を採る既存の電子錠システムが存在する場合には、個々の電子錠は、本発明における端末装置としての機能を果たすことができる電子機器となりうる（もちろん、電子錠の内部に、本発明の端末装置として機能する専用プログラムを組み込む必要がある）。
【０１１４】
また、電子的な動作機能をもつ事務用什器・備品（たとえば、プリンタ、ファクシミリ、複写機など複数の機能を備えたいわゆる複合機、電子式のロッカーやキャビネットなどのオフィス機器）についても、ネットワーク接続して管理する運用が採られることもある。このような場合は、これら事務用什器・備品を、本発明に係る端末装置として利用することが可能である。たとえば、社員が電子式のロッカーの電子錠を解錠するために社員証として配布されたＩＣカードを用いた場合、ＩＣカードから媒体識別コードが読み出され、当該ロッカーの設置場所を示す場所情報と、読み出した媒体識別コードとを含む経路報告情報が、ネットワークを介してブロードキャスト送信されることになる。これにより、当該社員が、当該ロッカーが設置されたロッカールームに立ち寄った事実が報知される。
【０１１５】
（２）  情報記録媒体の実用的な構成例
続いて、本発明に用いる情報記録媒体の構成例を説明する。既に述べたとおり、本発明で用いる情報記録媒体は、固有の媒体識別コードを記録する機能を有し、個々のメンバーが所持できるような携帯性を有する媒体であれば、どのような媒体であってもかまわない。
【０１１６】
ただ、実用上は、上述したように、メモリ内に媒体識別コードが記録されたＩＣカードを利用した認証を必要とする電子機器システムが既に構築されている場合には、このＩＣカードを本発明で用いる情報記録媒体としてそのまま転用すると便利である。ＩＣカードとしては、接触用電極を有する接触型ＩＣカードを用いてもよいし、無線交信する機能を有する非接触型ＩＣカードを用いてもかまわない。前者の場合は、接触用電極を介してＩＣカードと交信するリーダライタ装置をそのままコード読出部１１０として利用することができる。また、後者の場合は、ＩＣカードと無線交信するリーダライタ装置をそのままコード読出部１１０として利用することができる。
【０１１７】
もちろん、本発明に用いる情報記録媒体は、必ずしもＩＣカードのような電子機器である必要はない。たとえば、文字もしくはバーコードの印刷により媒体識別コードが記録された媒体を用いることもできるし、磁気もしくは光学的な記録方法により媒体識別コードが記録された媒体を用いることもできる。この場合、コード読出部１１０としては、光学的もしくは磁気的な方法により媒体識別コードを読み取る装置を用いるようにすればよい。
【０１１８】
（３）  文字列への変換機能の付加
図２に示す実施形態では、場所情報格納部１４０に格納する場所情報として、自己の設置場所の名称を示す場所文字列（たとえば、「千葉支社３０１号室」なる文字列）を格納しておき、経路報告情報送信部１５０が、この場所文字列を含んだ経路報告情報をブロードキャスト送信する形態を採っていた。このため、この経路報告情報を受信した端末装置側では、経路履歴書込部１７０が、この場所文字列「千葉支社３０１号室」を経路履歴として書き込み、経路履歴提示部１８０が、当該場所文字列をそのまま提示する処理が行われていた。
【０１１９】
しかしながら、本発明における「場所情報」とは、端末装置自身の設置場所を直接的に示す情報（たとえば、「千葉支社３０１号室」のような場所文字列）に限定されるものではなく、設置場所を間接的に示す情報であってもかまわない。たとえば、個々の端末装置に固有の端末識別コード（図１の各端末装置に付したＴ１１〜Ｔ４３のような符号であってもよいし、ＩＰアドレスであってもよいし、イーサネット（登録商標）通信機器に固有のＭＡＣアドレスのようなものであってもかまわない）が付与されている場合には、この端末識別コードを「場所情報」として用いることも可能である。この場合、場所情報格納部１４０には、自己を示す固有の端末識別コードが場所情報として格納されることになり、経路報告情報送信部１５０が、この端末識別コードを場所情報として含んだ経路報告情報をブロードキャスト送信することになる。
【０１２０】
ただ、この端末識別コードは、特定の場所を直接示すものではないので、経路報告情報を受信した端末装置側では、行き先の提示を行うまでの間に、「端末識別コード」を「当該端末識別コードで特定される端末装置の設置場所の名称を示す場所文字列」に変換する必要がある。このような変換を行うには、端末装置の内部もしくは外部（ネットワークを介してアクセス可能な場所であってもよい）に、個々の端末識別コードを、当該端末識別コードで特定される端末装置の設置場所の名称を示す場所文字列に変換する場所文字列変換部２１０を設けておき、必要に応じて、「端末識別コード」→「場所文字列」という変換が行えるような環境を用意しておけばよい。
【０１２１】
図１３は、このような場所文字列変換部２１０の構成例を示す表である。この例では、端末識別コードとして、「Ｔ１１」，「Ｔ１２」，「Ｔ１３」のような符号が用いられており、それぞれについて、「東京本社１０１号室」，「東京本社１０２号室」，「東京本社１０３号室」のような場所文字列が対応づけられている。このような場所文字列変換部２１０を用意しておけば、「Ｔ１１」，「Ｔ１２」，「Ｔ１３」といった端末識別コードは、個々の端末装置の設置場所を間接的に示す場所情報になる。したがって、「東京本社１０１号室」なる場所文字列をブロードキャスト送信する代わりに、「Ｔ１１」なる端末識別コードを送信しても、同じ効果が得られる。
【０１２２】
このように、場所文字列の代わりに端末識別コードを場所情報としてブロードキャスト送信した場合、これを受信した端末装置側の経路履歴書込部１７０は、この端末識別コードを経路履歴格納部１３０内に経路履歴として書き込めばよい。たとえば、図８の右上の端末装置Ｔ３１についての経路履歴としては、図示されている個々の場所文字列の代わりに、「Ｔ１２」，「Ｔ１４」，「Ｔ２３」，「Ｔ４２」のような端末識別コードがそのまま書き込まれることになる。そして、経路履歴提示部１８０が、経路履歴の提示を行う際に、図１３に示すような場所文字列変換部２１０による変換結果を利用して、端末装置の設置場所の名称を示す場所文字列の形で、経路履歴を提示すれば、これまでの実施形態と同様の形態で、行き先の提示を行うことができる。
【０１２３】
もちろん、経路履歴書込部１７０が、経路履歴格納部１３０内に経路履歴を書き込む段階で、場所文字列への変換を行うようにしてもよい。たとえば、経路履歴書込部１７０が「Ｔ１２」なる端末識別コードを受け取った場合、その時点で、図１３に示すような場所文字列変換部２１０による変換を行えば、「Ｔ１２」→「東京本社１０２号室」なる場所文字列を得ることができるので、当該場所文字列を経路履歴格納部１３０内にそのまま書き込むようにすればよい。この場合、経路履歴格納部１３０内の経路履歴の形態は、これまで述べてきた実施形態と全く同じになるので、経路履歴提示部１８０は、この場所文字列をそのまま提示する処理を行えばよい。
【０１２４】
なお、同様のことが氏名文字列に関しても言える。前掲の実施形態では、図１２(b) に示す「ＣＣ００１：鈴木一郎」のような氏名を併記する表示を行うための一方法として、媒体識別コード自体を「ＣＣ００１：鈴木一郎」のような氏名を含んだ形にする例を説明したが、たとえば、図１４に示すような氏名文字列変換部２２０を用意しておけば、いつでも「ＣＣ００１」なる媒体識別コードを、「鈴木一郎」なる氏名文字列に変換することが可能になる。
【０１２５】
すなわち、端末装置の内部もしくは外部（ネットワークを介してアクセス可能な場所であってもよい）に、個々の媒体識別コードを、当該媒体識別コードで特定される情報記録媒体の所持者の氏名を示す氏名文字列に変換する氏名文字列変換部２２０を設けておけば、経路履歴提示部１８０は、この氏名文字列変換部２２０による変換結果を利用して、氏名文字列を見出しとして用い、個々の媒体識別コードごとに、格納されている経路履歴を表示することができる。
【０１２６】
（４）  経路履歴の書込形態
前掲の実施形態では、経路履歴書込部１７０が、所定の媒体識別コードに関する格納欄に、新たな経路履歴を書き込む際に、当該格納欄の末尾に経路履歴を追加書き込みし、同一格納欄に複数の経路履歴を順次蓄積して格納する例を述べた。ただ、このような追加書き込みを行ってゆくと、立ち寄り先が増えれば増えるほど、経路履歴格納欄の容量は増えてゆくことになる。もちろん、特定のメンバーの立ち寄り先に関する情報をすべて蓄積し、これを提示した方が好ましい場合には、前掲の実施形態のような追加書き込みの方法を採らざるを得ないが、もし、最近の立ち寄り先のみを提示すれば十分な場合には、経路履歴書込部１７０が、所定の格納欄の末尾に経路履歴を追加書き込みする際に、当該格納欄に蓄積中の経路履歴の数が所定の設定値以下となるように、古い経路履歴を順次削除する処理を行うようにしてもかまわない。
【０１２７】
たとえば、設定値＝３とした場合、経路履歴格納部１３０には、「最後の立ち寄り先」，「その前の立ち寄り先」，「更にその前の立ち寄り先」という３つの経路履歴のみが蓄積されることになり、それ以前の立ち寄り先に関する経路履歴は逐次削除されることになる。これにより、経路履歴格納部１３０の記録容量を節約することができる。
【０１２８】
また、たとえば、図１１(b) に示すように、「最後の立ち寄り先」のみを提示すれば足りる場合は、経路履歴格納部１３０には、常に、最新の経路履歴のみを格納しておけばよい。この場合、経路履歴書込部１７０は、所定の媒体識別コードに関する格納欄に、新たな経路履歴を書き込む際に、当該格納欄に格納されていた古い経路履歴を新たな経路履歴によって書き換え、当該格納欄には最新の経路履歴のみが格納されるようにすればよい。
【０１２９】
（５）  経路履歴削除部
図２に示す端末装置Ｔには、経路履歴削除部１９０が設けられている。この経路履歴削除部１９０は、外部から削除指示が与えられたときに、もしくは予め設定された所定の削除条件が満たされたときに、経路履歴格納部１３０の格納内容の一部もしくは全部を削除する処理を行う機能をもっている。本発明の動作原理上は、この経路履歴削除部１９０は、必ずしも必要ではないが、実用上は、経路履歴格納部１３０内の経路履歴を永遠に追記し続けるわけにはゆかないので、経路履歴削除部１９０を設け、必要に応じて、特定の経路履歴を削除できるようにしておくのが好ましい。
【０１３０】
たとえば、この行き先提示システムを、１日単位でリセットするような運用形態で利用するのであれば、「毎日、２４時になったら、経路履歴格納部１３０内の全情報を削除する」というような削除条件を設定しておけばよい。そうすれば、毎朝出社時に、システムはリセットされることになる（毎朝、図３の初期状態に戻ることになる）。もちろん、１週間にわたって行き先を追尾したい、というような要望がある場合には、「毎週日曜日になったら、経路履歴格納部１３０内の全情報を削除する」というような削除条件を設定することも可能である。あるいは、「特定の媒体識別コードの登録が行われた時点から１２時間経過したら、当該特定の媒体識別コードに関する経路履歴のみ削除する」というような削除条件を設定することも可能である。
【０１３１】
もちろん、外部から（ネットワーク経由でもよい）、経路履歴削除部１９０に対して、具体的個別的な削除指示を与えることにより、所望の情報のみを削除する操作を行うことも可能である。
【０１３２】
（６）  電子掲示板
図１に示すシステムには、電子掲示板Ｔ００が設けられている。この電子掲示板Ｔ００は、行き先提示の機能に特化した特別な端末装置ということができる。既に述べたとおり、図１に示す一般の端末装置Ｔ１１〜Ｔ４３は、特定のメンバーが立ち寄った場合に、「誰がどこに立ち寄ったか」を示す経路報告情報をブロードキャスト送信する発信源としての第１の機能と、この経路報告情報を受信して取捨選択し、特定のメンバーについての行き先提示を行う提示装置としての第２の機能と、の双方を備えた装置である。
【０１３３】
これに対して、電子掲示板Ｔ００は、第１の機能をもたず、第２の機能に特化した装置ということができる。図１５は、この電子掲示板Ｔ００の基本構成を示すブロック図である。図示のとおり、電子掲示板Ｔ００は、コード登録部１２０Ａ，経路履歴格納部１３０Ａ，経路報告情報受信部１６０Ａ，経路履歴書込部１７０Ａ，経路履歴提示部１８０Ａによって構成されている。これらの各構成要素は、図２に示す一般の端末装置Ｔにおけるコード登録部１２０，経路履歴格納部１３０，経路報告情報受信部１６０，経路履歴書込部１７０，経路履歴提示部１８０とほぼ同等の構成要素である。また、必要に応じて、経路履歴削除部１９０と同等の構成要素を追加してもかまわない（実用上は、追加するのが好ましい）。
【０１３４】
ただ、この電子掲示板Ｔ００には、情報記録媒体Ｍから媒体識別コードを読み出すコード読出部１１０が備わっていないので、コード登録部１２０Ａは、外部からの何らかの指示入力に基づいて（たとえば、オペレータが、所望の媒体識別コードを入力する作業を行えばよい）、行き先提示の対象となる特定の媒体識別コードを経路履歴格納部１３０Ａ内に登録する処理を実行する。
【０１３５】
上述したように、この電子掲示板Ｔ００には、経路報告情報をブロードキャスト送信する発信源としての第１の機能は備わっていないので、図２に示す端末装置Ｔにおける場所情報格納部１４０や経路報告情報送信部１５０といった構成要素は不要である。
【０１３６】
なお、図１では、電子掲示板Ｔ００の設置場所は具体的に明示されていないが、もちろん、この電子掲示板Ｔ００の設置場所はいずれの場所でもかまわないし、また、複数台の電子掲示板Ｔ００を設置してもかまわない。
【０１３７】
（７）  管理装置
図１に示すシステムには、管理装置Ｔ９９も設けられている。この管理装置Ｔ９９は、経路履歴の収集に特化した特別な端末装置ということができる。図１６は、この管理装置Ｔ９９の基本構成を示すブロック図である。図示のとおり、管理装置Ｔ９９は、経路履歴格納部１３０Ｂ，経路報告情報受信部１６０Ｂ，経路履歴書込部１７０Ｂによって構成されている。これらの各構成要素は、図２に示す一般の端末装置Ｔにおける経路履歴格納部１３０，経路報告情報受信部１６０，経路履歴書込部１７０とほぼ同等の構成要素である。また、必要に応じて、経路履歴削除部１９０と同等の構成要素を追加してもかまわない（実用上は、追加するのが好ましい）。
【０１３８】
この管理装置Ｔ９９の特徴は、一般の端末装置Ｔ１１〜Ｔ４３からブロードキャスト送信されてきた経路報告情報を取捨選択することなしに、すべて格納蓄積する点にある。すなわち、一般の端末装置Ｔの経路履歴書込部１７０は、「受信した経路報告情報」に含まれている媒体識別コードが、経路履歴格納部１３０に登録されている場合には、当該媒体識別コードに関する格納欄に、この「受信した経路報告情報」に含まれている場所情報を新たな経路履歴として書き込む処理を行うが、管理装置Ｔ９９の経路履歴書込部１７０Ｂは、そのような判定処理を行うことなしに、すべての「受信した経路報告情報」に含まれている場所情報を、対応する媒体識別コードに関する格納欄に、新たな経路履歴として書き込む処理を行う。
【０１３９】
より具体的に言えば、経路履歴書込部１７０Ｂは、経路履歴格納部１３０Ｂにおける「受信した経路報告情報」に含まれている媒体識別コードに関する格納欄の末尾に、「受信した経路報告情報」に含まれている場所情報を新たな経路履歴として追加書き込みし、同一格納欄に複数の経路履歴が順次蓄積して格納されるようにする処理を行う。
【０１４０】
このような管理装置Ｔ９９を設けておけば、すべてのメンバーに関する行き先の情報が、ここに蓄積されることになるので、必要なときにはいつでも、この管理装置Ｔ９９内の経路履歴格納部１３０Ｂ内の格納情報を参照することにより、特定のメンバーの足取りを把握することができる。たとえば、社員証が盗難の被害に遭い、犯人が、当該社員証を利用して、多数の電子機器を不正利用したような場合、この経路履歴格納部１３０Ｂ内の格納情報を参照すれば、当該犯人の足取りを把握することができ、どのような被害が生じたかを把握する上で役立てることができる。
【図面の簡単な説明】
【０１４１】
【図１】本発明の一実施形態に係る行き先提示システムの基本構成を示すブロック図である。
【図２】図１に示されている各端末装置Ｔ１１〜Ｔ４３の内部構成を示すブロック図である。
【図３】図１に示されている各端末装置Ｔ１１〜Ｔ４３内に格納されている経路履歴の初期状態を示す図である。
【図４】図３の状態の後、媒体Ｍ１を端末Ｔ３１に接続したときの各端末装置Ｔ１１〜Ｔ４３内の経路履歴の変化状態を示す図である。
【図５】図４の状態の後、媒体Ｍ１を端末Ｔ１２に接続したときの各端末装置Ｔ１１〜Ｔ４３内の経路履歴の変化状態を示す図である。
【図６】図５の状態の後、媒体Ｍ１を端末Ｔ１４に接続したときの各端末装置Ｔ１１〜Ｔ４３内の経路履歴の変化状態を示す図である。
【図７】図６の状態の後、媒体Ｍ１を端末Ｔ２３に接続したときの各端末装置Ｔ１１〜Ｔ４３内の経路履歴の変化状態を示す図である。
【図８】図７の状態の後、媒体Ｍ１を端末Ｔ４２に接続したときの各端末装置Ｔ１１〜Ｔ４３内の経路履歴の変化状態を示す図である。
【図９】図８の状態の後、媒体Ｍ１を端末Ｔ３１に接続したときの各端末装置Ｔ１１〜Ｔ４３内の経路履歴の変化状態を示す図である。
【図１０】図９の状態の後、媒体Ｍ１を端末Ｔ２３に接続したときの各端末装置Ｔ１１〜Ｔ４３内の経路履歴の変化状態を示す図である。
【図１１】図１に示されている端末装置Ｔ３１の画面上に提示される行き先表示の一例を示す図である。
【図１２】図１に示されている端末装置Ｔ３１の画面上に提示される行き先表示の別な一例を示す図である。
【図１３】本発明の変形例で用いられる場所文字列変換部の構成例を示す表である。
【図１４】本発明の変形例で用いられる氏名文字列変換部の構成例を示す表である。
【図１５】図１に示されている電子掲示板Ｔ００の内部構成を示すブロック図である。
【図１６】図１に示されている管理装置Ｔ９９の内部構成を示すブロック図である。
【符号の説明】
【０１４２】
１１０：コード読出部
１２０，１２０Ａ：コード登録部
１３０，１３０Ａ，１３０Ｂ：経路履歴格納部
１４０：場所情報格納部
１５０：経路報告情報送信部
１６０，１６０Ａ，１６０Ｂ：経路報告情報受信部
１７０，１７０Ａ，１７０Ｂ：経路履歴書込部
１８０，１８０Ａ：経路履歴提示部
１９０：経路履歴削除部
２１０：場所文字列変換部
２２０：氏名文字列変換部
ＣＣ００１〜ＣＣ００５：媒体識別コード
Ｍ，Ｍ１〜Ｍ５：情報記録媒体
Ｎ：ネットワーク
Ｔ，Ｔ１１〜Ｔ４３：端末装置
Ｔ００：電子掲示板
Ｔ９９：管理装置
【図１】
2008021061.tif 000003
【図２】
2008021061.tif 000004
【図３】
2008021061.tif 000005
【図４】
2008021061.tif 000006
【図５】
2008021061.tif 000007
【図６】
2008021061.tif 000008
【図７】
2008021061.tif 000009
【図８】
2008021061.tif 000010
【図９】
2008021061.tif 000011
【図１０】
2008021061.tif 000012
【図１１】
2008021061.tif 000013
【図１２】
2008021061.tif 000014
【図１３】
2008021061.tif 000015
【図１４】
2008021061.tif 000016
【図１５】
2008021061.tif 000017
【図１６】
2008021061.tif 000018